(57)【特許請求の範囲】
【請求項１】
箱本体と、この箱本体に対して開閉可能に設けられた蓋板とを備えた略直方体の包装箱であって、
上記箱本体は、それぞれ略矩形の底板と、前板と、後板と、２つの側板とが一体となって構成され、
上記蓋板は、上記箱本体の後板から延設されるとともに、後板との連結部を折り目として、この折り目を軸にして箱本体に対して開閉可能に設けられ、かつ曲折して前板の外面に重ね合わせ可能な蓋板舌片が先端に延設され、
この蓋板舌片は、
蓋板舌片の所定範囲に設けられ、前板に糊付けされる舌片糊付け部と、
この舌片糊付け部の蓋板の側に設けられた引き代と、
この引き代が引かれた時に、前板に糊付けされた状態の蓋板舌片の基部が舌片糊付け部から分離されるように引き代の基端から蓋板舌片の側端まで破断誘導する一対の裂開部とを有するとともに、
この裂開部を境として舌片糊付け部から分離された状態で、包装箱の蓋板を閉めた状態にするように前板の内側に差し込み可能に形成され、
上記前板は、前板の上端に設けられ、前板の内側に差し込まれた状態の蓋板舌片の基部の略中央を露出させて外から接触可能な前板切り欠き部を備えた略矩形の一枚のシート材で構成され、
上記前板の外面には、上記舌片糊付け部が前板に糊付けされた状態で上記引き代に少なくとも一部が覆われるように上記蓋板舌片に覆われるとともに、上記蓋板舌片の基部が前板の内側に差し込まれた状態で外から目視可能となる位置に、開封済み表示が設けられていることを特徴とする包装箱。
【請求項２】
上記舌片糊付け部が前板に糊付けされた状態で、上記前板切り欠き部と上記引き代とは、上下に並んで配置され、上記開封済み表示は、上記前板切り欠き部の下方に設けられていることを特徴とする請求項１に記載の包装箱。
【請求項３】
上記引き代は、蓋板舌片に設けられた略Ｕ字形の切り込み部に囲まれた部分で形成されていることを特徴とする請求項１または請求項２のいずれかに記載の包装箱。
【請求項４】
上記蓋板舌片は、上記引き代の切り込み部の近傍に、引き代の縁部を露出させてこの縁部に外から接触可能な引き代切り欠き部を備えていることを特徴とする請求項３に記載の包装箱。
【請求項５】
上記２つの側板は、それぞれの先端に、側板との連結部を折り目として折り曲げて蓋板と重ね合わせ可能な側板舌片を有していることを特徴とする請求項１ないし請求項４のいずれかに記載の包装箱。
【請求項６】
上記引き代は、引き代であることを表示する引き代表示を外面に備えていることを特徴とする請求項１ないし請求項５のいずれかに記載の包装箱。
【請求項７】
上記引き代は、蓋板舌片が前板に糊付けされた状態で引き代を包装箱の外側に折り曲げ可能な折り目を、引き代の基端部において上記一対の裂開部の間に有していることを特徴とする請求項１ないし請求項６のいずれかに記載の包装箱。
【請求項８】
上記底板と上記後板との間に設けられ、底板を上記箱本体から分離可能なミシン目と、後板に設けられ、このミシン目を押破可能な押破部とを備えたことを特徴とする請求項１ないし請求項７のいずれかに記載の包装箱。
【発明の詳細な説明】
【技術分野】
【０００１】
本発明は、例えば、注射剤用個装箱などに採用される略直方体の包装箱に関するものである。
【背景技術】
【０００２】
一般に、注射剤用個装箱などに採用される略直方体の包装箱として、箱本体と、この箱本体に対して開閉可能に設けられた蓋板とを備えたものが知られている。
【０００３】
このような包装箱においては、蓋板を箱本体に糊付けまたはテープ貼り等、封を施すことにより内容物が包装されるように構成されているが、蓋板を箱本体とは別の板材にして後付けするものとすると、重なり部分や舌片糊付け部が増えてしまうので、一般的には、蓋板は、箱本体の後板から延設されるようになっている。
【０００４】
例えば、特許文献１には、蓋板が箱本体の後板から延設される板材で構成された注射剤用個装箱の技術が開示されている。
【０００５】
この特許文献１の注射剤用個装箱では、蓋板は、箱本体の後板との連結部を折り目として、この折り目を軸にして箱本体に対して開閉可能に設けられている。
【０００６】
また蓋板の先端に蓋板舌片が延設され、この蓋板舌片が、前板の内面に重ね合わせて糊付けされるように構成されている。
【特許文献１】特開２０００−２１７９１０号公報
【発明の開示】
【発明が解決しようとする課題】
【０００７】
しかしながら、上述の特許文献１に記載された注射剤用個装箱では、一旦前板の上部を押し破って開封した蓋板に、前板の上部が糊付けされたままの状態になるので、蓋板を再び開閉することが容易でなかった。
【０００８】
また、前板の上部に設けられたミシン目から外光が漏れて内容物が外光に曝されるという問題や、前板の上部に開けられた開口部が大きくなるので、蓋板舌片を前板の内面に重ね合わせて包装箱を再び閉めた状態にしても、この開口部から外光が漏れて内容物が外光に曝されるという問題があった。
【０００９】
さらに、ミシン目には一般的に開封ジッパーが採用されることが多いが、ユーザーが使用前に開封する際に、分離したジッパー片を廃棄する作業が伴うため、クレームが発生していた。
【００１０】
また、この問題を避けるために、開口部の背面に遮光板を設けて前板を二重構造にしようとすると、蓋板を後ろ板に後付けした包装箱のように糊付け部分や前板の重なり部分が多くなり材料費の上昇を招くという不具合、また、梱包工程が増加し、作業時間の上昇を招くという不具合があった。
【００１１】
本発明は上記不具合に鑑みてなされたものであり、包装と開封とが容易に行えるだけでなく、一旦開封した蓋板を再び開閉することが容易で、またミシン目や開口部から外光が漏れ入ることがない包装箱を提供することを課題としている。
【００１２】
また、蓋板を後付けした包装箱や、前板の開封部に遮光板を設けた包装箱と比較して、糊付け部分や前板の重なり部分が少なく材料費を節減することができ、かつ作業時間を短縮することができる包装箱を提供することも課題としている。
【課題を解決するための手段】
【００１３】
上記課題を解決するための本発明は、箱本体と、この箱本体に対して開閉可能に設けられた蓋板とを備えた略直方体の包装箱であって、上記箱本体は、それぞれ略矩形の底板と、前板と、後板と、２つの側板とが一体となって構成され、上記蓋板は、上記箱本体の後板から延設されるとともに、後板との連結部を折り目として、この折り目を軸にして箱本体に対して開閉可能に設けられ、かつ曲折して前板の外面に重ね合わせ可能な蓋板舌片が先端に延設され、この蓋板舌片は、蓋板舌片の所定範囲に設けられ、前板に糊付けされる舌片糊付け部と、この舌片糊付け部の蓋板の側に設けられた引き代と、この引き代が引かれた時に、前板に糊付けされた状態の蓋板舌片の基部が舌片糊付け部から分離されるように引き代の基端から蓋板舌片の側端まで破断誘導する一対の裂開部とを有するとともに、この裂開部を境として舌片糊付け部から分離された状態で、包装箱の蓋板を閉めた状態にするように前板の内側に差し込み可能に形成され、上記前板は、前板の上端に設けられ、前板の内側に差し込まれた状態の蓋板舌片の基部の略中央を露出させて外から接触可能な前板切り欠き部を備えた略矩形の一枚のシート材で構成され、上記前板の外面には、上記舌片糊付け部が前板に糊付けされた状態で上記引き代に少なくとも一部が覆われるように上記蓋板舌片に覆われるとともに、上記蓋板舌片の基部が前板の内側に差し込まれた状態で外から目視可能となる位置に、開封済み表示が設けられていることを特徴とする包装箱である。
【００１４】
本発明によれば、蓋板に延設されている蓋板舌片を曲折させて前板の外面に重ね合わせ、舌片糊付け部の箇所で前板に糊付けすることができるので、内容物を容易に包装することができる。また、引き代を引いて裂開部を破断することにより、前板に糊付けされた状態の舌片糊付け部から蓋板舌片を分離することができるので、容易に包装箱を開封して内容物を取り出すことができる。
【００１５】
そして、舌片糊付け部から分離された蓋板舌片を前板の内側に差し込むことができるので、一旦開封した包装箱の蓋板を再び開閉することができる。
【００１６】
特に、前板の上端には、前板切り欠き部が設けられており、差し込まれた状態の蓋板舌片の基部に外から接触できるので、蓋板舌片を抜き出して包装箱を再び開けることがより容易である。
【００１７】
また、本発明によれば、蓋板舌片に設けられている引き代を引いて蓋板舌片を分離するように構成されているので、前板を押し破る必要がない結果、ミシン目や開口部から外光が漏れ入ることがなく、前板を押し破る場合に生ずる開封ジッパー片等の廃棄部分がなく使用開始前に廃棄物を分別する必要がなくなる。
【００１８】
さらに、蓋板が、箱本体の後板との連結部を折り目とし、この折り目を軸にして箱本体に対して開閉可能に設けられているので、蓋板を後ろ板に後付けした包装箱と比較して、糊付け部分を少なくすることができる。
【００１９】
また、前板が略矩形の一枚のシート材で構成され、蓋板舌片を曲折させて前板の外面に重ね合わせるだけの構造なので、前板の開封部に遮光板を設けた包装箱と比較して、前板の重なり部分が少なく、材料費を節減することができる。
【００２０】
さらに、蓋板舌片が前板に糊付けされた状態では、開封済み表示が外側の蓋板舌片に覆われて見えないが、蓋板舌片が舌片糊付け部から分離され、前板の内側に差し込まれた状態となると、この開封済み表示を外から目視することができるようになる。その結果、包装箱を閉めたままの状態で、外側から開封済みの包装箱を認識することができるので、開封済みの包装箱と未開封の包装箱とを混同することがなくなる。
【００２１】
また、このように開封済みの包装箱と未開封の包装箱とを混同することがなくなるので、例えば注射剤用個装箱などの場合は、医療機関などユーザの消費場所において開封済みの包装箱を未開封と勘違いして欠品クレームを発生させるようなことがなくなる。
【００２２】
ここで、上記舌片糊付け部が前板に糊付けされた状態で、上記前板切り欠き部と上記引き代とは、上下に並んで配置され、上記開封済み表示は、上記前板切り欠き部の下方に設けられていることが好ましい。
【００２３】
また、上記引き代は、蓋板舌片に設けられた略Ｕ字形の切り込み部に囲まれた部分で形成されていることが好ましい。
【００２４】
このようにすれば、引き代が、蓋板舌片に設けられた略Ｕ字形の切り込み部に囲まれた部分で形成されているので、わざわざ引き代を蓋板舌片に後付けする必要がない。
【００２５】
また、この略Ｕ字形の切り込み部に囲まれた部分を引っ張り出して引くという簡単な操作で、引き代の基端から蓋板舌片の側端までの裂開部を破断して包装箱を開封することができる。
【００２６】
ここで、上記蓋板舌片は、上記引き代の切り込み部の近傍に、引き代の縁部を露出させてこの縁部に外から接触可能な引き代切り欠き部を備えていることが好ましい。
【００２７】
このようにすれば、引き代の切り込み部の近傍に、引き代の縁部に外から接触可能な引き代切り欠き部が設けられているので、引き代を引っ張り出すという操作が、より簡単になる。
【００２８】
また、上記２つの側板は、それぞれの先端に、側板との連結部を折り目として折り曲げて蓋板と重ね合わせ可能な側板舌片を有していることが好ましい。
【００２９】
このようにすれば、側板の先端に設けられた側板舌片と蓋板とを重ね合わせることができるので、側板の上端と、蓋板との間から外光が浸入することがなく、内容物を外光に曝さないようにすることができるようになる。
【００３０】
また、上記引き代は、引き代であることを表示する引き代表示を外面に備えていることが好ましい。
【００３１】
このようにすれば、引き代であることを表示する引き代表示が引き代の外面に設けられているので、引き代を見つけることが容易になる結果、包装箱を開封することがより簡単になる。
【００３２】
また、上記引き代は、蓋板舌片が前板に糊付けされた状態で引き代を包装箱の外側に折り曲げ可能な折り目を、引き代の基端部において上記一対の裂開部の間に有していることが好ましい。
【００３３】
このようにすれば、引き代を包装箱の外側に折り曲げ可能な折り目が、引き代の基端部において一対の裂開部の間に設けられているので、引き代が引っぱり出された時に、折り目部分で谷折りを形成することができる。その結果、左右一対の裂開部の両側に、同時に力が加わり容易に破断することができて、裂開部の破断不良を防ぐことができる。
【００３４】
また、この包装箱は、上記底板と上記後板との間に設けられ、底板を上記箱本体から分離可能なミシン目と、後板に設けられ、このミシン目を押破可能な押破部とを備えていることが好ましい。
【００３５】
このようにすれば、後板に設けられた押破部を指で押し破り、そのまま指で底板と後板との間に設けられたミシン目を裂開させて底板を箱本体から裂開させることにより、使用済みの包装箱を折り畳んで廃棄することができるようになる。
【発明の効果】
【００３６】
以上説明したように、本発明によれば、舌片糊付け部から分離された蓋板舌片を前板の内側に差し込むことができるので、一旦開封した包装箱の蓋板を再び開閉することができるようになる。
【００３７】
特に、前板の上端には、前板切り欠き部が設けられており、差し込まれた状態の蓋板舌片の基部に外から接触できるので、蓋板舌片を抜き出して包装箱を再び開けることがより容易である。
【００３８】
また、本発明によれば、蓋板舌片に設けられている引き代を引いて蓋板舌片を分離するように構成されているので、前板を押し破る必要がない結果、ミシン目や開口部から外光が漏れ入ることがなく、前板を押し破る場合に生ずる開封ジッパー片等の廃棄部分がなく使用開始前に廃棄物を分別する必要がなくなる。
【００３９】
また、蓋板が、箱本体の後板との連結部を折り目とし、この折り目を軸にして箱本体に対して開閉可能に設けられているので、蓋板を後ろ板に後付けした包装箱と比較して、糊付け部分を少なくすることができる。
【００４０】
また、前板が略矩形の一枚のシート材で構成され、蓋板舌片を曲折させて前板の外面に重ね合わせるだけの構造なので、前板の開封部に遮光板を設けた包装箱と比較して、前板の重なり部分が少なく、材料費を節減することができ、かつ作業時間を短縮することができるという顕著な効果を奏する。
【発明を実施するための最良の形態】
【００４１】
以下、添付図面を参照しながら本発明の好ましい実施の一形態について詳述する。図１は本発明の実施の形態に係る包装箱１の構成を示す斜視図であり、蓋板３が前板９に糊付けされる前の状態を示している。また、図２は、本発明の実施の形態に係る包装箱１の展開図であり、包装箱１の内面が示されている。図３は、蓋板３が前板９に糊付けされた状態を示す包装箱１の斜視図である。また、図４は、裂開部７が破断され、蓋板舌片４の基部４ｂが舌片糊付け部５から分離された状態を示す包装箱１の斜視図であり、図５は、蓋板舌片４が前板９の内側に差し込まれた状態を示す包装箱１の斜視図である。
【００４２】
図１〜図５を参照して、図示の本発明の実施の形態に係る包装箱１は、注射剤用個装箱などに採用される略直方体の包装箱１であって、箱本体２と、この箱本体２に対して開閉可能に設けられた蓋板３とを備えている。そして、蓋板３は、蓋板舌片４と、この蓋板舌片４に設けられた舌片糊付け部５、引き代６、および一対の裂開部７を備え、この蓋板舌片４は、裂開部７が破断される前の前板９に外面に重ね合わされた状態（図３）と、裂開部７が破断された状態（図４）と、裂開部７が破断された後に前板９の内側に差し込まれた状態（図５）とに状態変更可能に構成されている。
【００４３】
上記箱本体２は、図２に示すような一枚の紙製シート材を曲折して箱状に形成したものであり、側板舌片１１ｃが内側に折りこまれ、前板舌片９ｂの前板舌片糊付け部９ｃが後板舌片１０ｂの後板舌片糊付け部１０ｃに糊付けされることにより、略矩形の底板８が形成されている。また、さらに後板糊付け部１０ｄが一方の側板１１の端部に糊付けされることにより、この底板８と、前板９と、後板１０と、２つの側板１１とが一体となって上方に開口部２ａを有する略直方体の箱が形成されている。そしてこの本体２は、開口部２ａから製品である注射剤が出し入れできるようになっている。
【００４４】
ここで、前板９には、舌片糊付け部５が糊付けされる前板糊付け部９ａが設けられている。この前板糊付け部９ａは、組み立て自動化を容易にするために舌片糊付け部５の先端部分のみ糊付けするようになっている（前板糊付け部９ａの先端は、舌片糊付け部５の先端から５ｍｍ程度、蓋板３側に位置するのが好ましい）。
【００４５】
また、この前板９の上端には、前板切り欠き部９ｄが設けられており、この前板切り欠き部９ｄを通して前板９の内側に差し込まれた状態の蓋板舌片４の基部４ｂの略中央を露出させて外から接触することができるようになっている。
【００４６】
さらに、この前板９には、前板糊付け部９ａの上方で前板切り欠き部９ｄの下方の箇所に、包装箱１の開封済み表示９ｅが設けられている。この開封済み表示９ｅは、蓋板舌片４が前板９に糊付けされた状態では、蓋板舌片４に覆われて外から目視することができないが、一方、図５のように、蓋板舌片４が前板９の内側に差し込まれた状態では外から目視することができるものであり、このように開封済み表示９ｅを外から目視することができるようにして、包装箱１が開封済みであることを判りやすくするものである。
【００４７】
また、後板１０は、包装箱１において前板９に対向する面を構成する板材であり、蓋板３との連結部１０ａを折り目として、この折り目を軸にして蓋板３を開閉可能に保持している。
【００４８】
また、２つの側板１１は、それぞれの上端に、側板１１との連結部１１ａを折り目として折り曲げて蓋板３と重ね合わせ可能な側板舌片１１ｂを有している。
【００４９】
上記蓋板３は、箱本体２の後板１０から延設されるとともに、後板１０との連結部１０ａを折り目として、この折り目を軸にして箱本体２に対して開閉可能に設けられている。
【００５０】
上記蓋板舌片４は、蓋板３の先端に延設された部分であり、この蓋板舌片４を蓋板３に対して曲折して前板９の外面に重ね合わせることができるようになっている（図３）。
【００５１】
上記舌片糊付け部５は、蓋板舌片４の所定範囲に設けられた部分であり、この舌片糊付け部５は、前板９の外面に重ね合わされ、前板糊付け部９ａに対して糊付けされるようになっている。ここで、所定範囲とは、図２に示すαが短かすぎたり長すぎたりせず、コストアップになることなく裂開部７を裂開しやすくなるような範囲であり、αが短かすぎる場合には、裂開部７の角度がとれず（折り目に対して１８０度に近づく）ため、裂開し難くなる。また、長すぎる場合は、紙の面積が増大し、コストアップとなる。
【００５２】
上記引き代６は、蓋板舌片４において舌片糊付け部５の蓋板３の側に設けられた舌状の部分である。この引き代６は、略Ｕ字形の切り込み部６ａに囲まれた部分で形成されており、引き代６であることを表示する引き代６表示６ｂ（図３）が外面に印刷されている。そして、この引き代６を引っ張ることにより蓋板舌片４の基部４ｂを舌片糊付け部５から分離して包装箱１を開封することができるようになっている（図４）。
【００５３】
蓋板舌片４は、また、この引き代６の切り込み部６ａの近傍に、引き代６の縁部を露出させてこの縁部に外から接触可能な蓋板舌片４の引き代切り欠き部６ｃを備えている。
【００５４】
上記裂開部７は、この引き代６が引かれた時に、前板９に糊付けされた状態の蓋板舌片４の基部４ｂが舌片糊付け部５から分離されるように引き代６の基端６ｄから蓋板舌片４の側端４ａまで破断誘導するミシン目であり、引き代６の両側に設けられている。
【００５５】
ここで、引き代６は、蓋板舌片４が前板９に糊付けされた状態で引き代６を包装箱１の外側に折り曲げ可能な折り目６ｅを、引き代６の基端部において一対の裂開部７の間に有している。このように、引き代６が引っぱり出された時に、折り目６ｅ部分で谷折りが形成され、破断誘導する一対の裂開部７の基端に、左右両側同時に力が加わるので、裂開部７を容易に破断することができ、裂開部７の破断不良を軽減することができるようになっている。
【００５６】
そして、蓋板舌片４は、この裂開部７を境として舌片糊付け部５から分離された状態で、前板９の内側に差し込んで、包装箱１の蓋板３を閉めた状態にすることができるようになっている（図５）。
【００５７】
なお、この包装箱１は、底板８と後板１０との間に設けられ、底板８を箱本体２から分離可能なミシン目１２と、後板１０に設けられ、このミシン目１２を押破可能な押破部１３とを備えている。そして、後板１０に設けられた押破部１３を指で押し破り、そのまま指で底板８と後板１０との間に設けられたミシン目１２を裂開させて底板８を箱本体２から裂開させることにより、使用済みの包装箱１を折り畳んで廃棄することができるようになっている。
【００５８】
次に図１〜図５を参照して、本発明の実施の形態に係る包装箱１の作用について説明する。
【００５９】
本発明の実施の形態に係る包装箱１においては、図１に示すように、蓋板３が前板９に糊付けされる前に、箱本体２の開口部２ａから製品である注射剤が収納される。
【００６０】
次に、図３に示すように、２つの側板舌片１１ｂが、側板１１との連結部を折り目として折り曲げられて蓋板３と重ね合わされるとともに、蓋板３が箱本体２の後板１０との連結部を折り目として、この折り目を軸にして箱本体２に対して閉められ、舌片糊付け部５と前板９の前板糊付け部９ａとが糊付けされて、製品である注射剤の包装が行われる。この時、開封済み表示９ｅは、蓋板舌片４が前板９に糊付けされた状態では、蓋板舌片４に覆われている。
【００６１】
その後、必要に応じてポリプロピレン製のフィルムなどでこの包装箱１を覆って外装が行われる。
【００６２】
また、この包装箱１の開封に際しては、まずポリプロピレン製のフィルムなどの外装が取り除かれた後、引き代６表示６ｂが印刷された引き代６を引っ張ることにより、引き代６の両側に設けられたミシン目の裂開部７が破断される。そして、引き代６の基端６ｄから蓋板舌片４の側端４ａまで裂開部７が破断されることにより蓋板舌片４の基部４ｂが舌片糊付け部５から分離されて包装箱１が開封される。
【００６３】
この時、引き代６の切り込み部６ａの近傍に設けられた、引き代切り欠き部６ｃを通して引き代６の縁部に外から接触して引き代６を引っ張る。
【００６４】
このように、引き代６を引くという操作により、裂開部７が破断され、前板９に糊付けされた状態の蓋板舌片４の基部４ｂが舌片糊付け部５から分離される。
【００６５】
そして、図４に示すように後板１０との連結部１０ａを折り目として、この折り目を軸にして蓋板３を開けることにより、製品である注射剤の取り出しが可能となる。
【００６６】
また、図５に示すように、連結部を折り目として、この折り目を軸にして蓋板３を閉めるとともに、舌片糊付け部５から分離された状態の蓋板舌片４を前板９の内側に差し込むことにより、包装箱１の蓋板３を再び閉めた状態にすることができる。
【００６７】
この時、開封済み表示９ｅは、蓋板舌片４が前板９の内側に差し込まれた状態では外から目視することができるので、包装箱１が開封済みであることが判別される。
【００６８】
また、再び注射剤を取り出す場合は、前板９の上端に設けられた前板切り欠き部９ｄを通して前板９の内側に差し込まれた状態の蓋板舌片４の基部４ｂの略中央に外から接触して、蓋板舌片４を抜き出し、後板１０との連結部１０ａを折り目として、この折り目を軸にして蓋板３を開けることにより、製品である注射剤の取り出しが可能となる。
【００６９】
そして、包装箱１が空になった時には、後板１０に設けられた押破部１３を指で押し破り、そのまま指で底板８と後板１０との間に設けられたミシン目１２を裂開させて底板８を箱本体２から裂開させ、使用済みの包装箱１を折り畳んで廃棄する。
【００７０】
以上説明したように、本発明の実施の形態に係る包装箱１によれば、蓋板３に延設されている蓋板舌片４を曲折させて前板９の外面に重ね合わせ、舌片糊付け部５の箇所で前板９に糊付けすることができるので、内容物を容易に包装することができる。また、引き代６を引いて裂開部７を破断することにより、前板９に糊付けされた状態の舌片糊付け部５から蓋板舌片４を分離することができるので、容易に包装箱１を開封して内容物を取り出すことができる。
【００７１】
そして、舌片糊付け部５から分離された蓋板舌片４を前板９の内側に差し込むことができるので、一旦開封した包装箱１の蓋板３を再び閉めることができる。
【００７２】
また、前板９の上端には、前板切り欠き部９ｄが設けられており、差し込まれた状態の蓋板舌片４の基部４ｂに外から接触できるので、蓋板舌片４を抜き出して包装箱１を再び開けることがより容易になる。
【００７３】
さらに、この包装箱１によれば、蓋板舌片４に設けられている引き代６を引いて蓋板舌片４を分離するように構成されているので、前板９を押し破る必要がない結果、ミシン目や開口部から外光が漏れ入ることがなく、前板９を押し破る場合に生ずる開封ジッパー片等の廃棄部分がなく使用開始前に廃棄物を分別する必要がなくなる。
【００７４】
また、蓋板３が、箱本体２の後板１０との連結部１０ａを折り目とし、この折り目を軸にして箱本体２に対して開閉可能に設けられているので、蓋板３を後ろ板に後付けした包装箱１と比較して、舌片糊付け部５を少なくすることができる。
【００７５】
また、前板９が略矩形の一枚のシート材で構成され、蓋板舌片４を曲折させて前板９の外面に重ね合わせるだけの構造なので、前板９の開封部に遮光板を設けた包装箱１と比較して、前板９の重なり部分が少なく、材料費を節減することができる。
【００７６】
また、この包装箱１によれば、蓋板舌片４が前板９に糊付けされた状態では、開封済み表示９ｅが外側の蓋板舌片４に覆われて見えないが、蓋板舌片４の基部４ｂが舌片糊付け部５から分離され、前板９の内側に差し込まれた状態となると、この開封済み表示９ｅを外から目視することができるようになる。その結果、包装箱１を閉めたままの状態で、外側から開封済みの包装箱１を認識することができるので、開封済みの包装箱１と未開封の包装箱１とを混同することがなくなる。
【００７７】
また、このように開封済みの包装箱１と未開封の包装箱１とを混同することがなくなるので、例えば本実施形態のように注射剤用個装箱などの場合は、医療機関などユーザの消費場所において開封済みの包装箱１を未開封と勘違いして欠品クレームを発生させるようなことがなくなる。
【００７８】
また、引き代６が、蓋板舌片４に設けられた略Ｕ字形の切り込み部６ａに囲まれた部分で形成されているので、わざわざ引き代６を蓋板舌片４に後付けする必要がない。
【００７９】
また、この略Ｕ字形の切り込み部６ａに囲まれた部分を引っ張り出して引くという簡単な操作で、引き代６の基端６ｄから蓋板舌片４の側端４ａまでの裂開部７を破断して包装箱１を開封することができる。
【００８０】
また、この包装箱１によれば、引き代６の切り込み部６ａの近傍に、引き代６の縁部に外から接触可能な引き代切り欠き部６ｃが設けられているので、引き代６を引っ張り出すという操作が、より簡単になる。
【００８１】
また、この包装箱１によれば、側板１１の先端に設けられた側板舌片１１ｂと蓋板３とを重ね合わせることができるので、側板１１の上端と、蓋板３との間から外光が浸入することがなく、内容物を外光に曝さないようにすることができるようになる。
【００８２】
また、この包装箱１によれば、引き代６であることを表示する引き代６表示６ｂが引き代６の外面に設けられているので、引き代６を見つけることが容易になる結果、包装箱１を開封することがより簡単になる。
【００８３】
また、引き代６を包装箱１の外側に折り曲げ可能な折り目６ｅが、引き代６の基端部において一対の裂開部７の間に設けられているので、引き代６が引っぱり出された時に、折り目６ｅ部分で谷折りを形成することができる。その結果、左右一対の裂開部７の両側に、同時に力が加わり容易に破断することができて、裂開部７の破断不良を防ぐことができる。
【００８４】
また、後板１０に設けられた押破部１３を指で押し破り、そのまま指で底板８と後板１０との間に設けられたミシン目１２を裂開させて底板８を箱本体２から裂開させることにより、使用済みの包装箱１を折り畳んで廃棄することができるようになる。
【００８５】
上述した実施の形態は本発明の好ましい具体例を例示したものに過ぎず、本発明は上述した実施の形態に限定されない。
【００８６】
例えば、本発明の実施の形態に係る包装箱１は、必ずしも注射剤用個装箱に採用される包装箱１に限定されない。食品、工業製品、その他種々の物品の包装に適用可能である。
【００８７】
また、包装箱１の材料も紙製シート材に限定されない。プラスチックシート、その他種々の材料が採用可能である。また、包装箱１は、必ずしもポリプロピレン製のフィルムなどで外装される必要はない。
【００８８】
さらに、包装箱１は、必ずしも図示の形状に限定されない。例えば、図６は、本発明の実施の形態に係る包装箱１の変形例を示す斜視図であり、この変形例に係る包装箱２１は、舌片糊付け部２５、引き代２６、および一対の裂開部２７、前板切り欠き部２９ｂなどの形状が直線的に形成されているだけで、その他の構成、作用などは包装箱１と同様である。
【００８９】
また、製品である注射剤の収納に際しても、必ずしも箱本体２の開口部２ａから注射剤が収納される必要はない。例えば、先に２つの側板舌片１１ｂと蓋板３とが折り曲げられて重ねあわされるとともに、舌片糊付け部５と前板９の前板糊付け部９ａとが糊付けされた後、底側開口部から製品である注射剤が収納されるようにしてもよい。この場合は、底側開口部から製品である注射剤が収納された後、側板舌片１１ｃが内側に折りこまれ、前板舌片９ｂの前板舌片糊付け部９ｃが後板舌片１０ｂの後板舌片糊付け部１０ｃに糊付けされて包装箱１が組み立てられることになる。
【００９０】
その他、本発明の特許請求の範囲内で種々の設計変更が可能であることはいうまでもない。
【図面の簡単な説明】
【００９１】
【図１】本発明の実施の形態に係る包装箱の構成を示す斜視図である。
【図２】本発明の実施の形態に係る包装箱の展開図である。
【図３】蓋板が前板に糊付けされた状態を示す包装箱の斜視図である。
【図４】裂開部が破断され、蓋板舌片の基部が舌片糊付け部から分離された状態を示す包装箱の斜視図である。
【図５】蓋板舌片が前板の内側に差し込まれた状態を示す包装箱の斜視図である。
【図６】本発明の実施の形態に係る包装箱の変形例を示す斜視図である。
【符号の説明】
【００９２】
１    包装箱
２    箱本体
３    蓋板
４    蓋板舌片
４ａ  側端
４ｂ  蓋板舌片の基部
５    舌片糊付け部
６    引き代６
６ａ  切り込み部
６ｂ  引き代６表示
６ｃ  引き代切り欠き部
６ｄ  基端
６ｅ  折り目
７    裂開部
８    底板
９    前板
９ｄ  前板切り欠き部
９ｅ  開封済み表示
１０  後板
１１  側板
１１ｂ  側板舌片
１２  ミシン目
１３  押破部
【図１】
0004816237.tif 000002
【図２】
0004816237.tif 000003
【図３】
0004816237.tif 000004
【図４】
0004816237.tif 000005
【図５】
0004816237.tif 000006
【図６】
0004816237.tif 000007